(57)【要約】【課題】通信端末装置が一度に複数の宛先に対してメールを送信する場合、宛先毎に異なる内容のメールを送信する通信端末装置におけるメール送信方法を提供する。【解決手段】複数の端末装置に対してメールを送信する通信端末装置１がメール本文及び編集記号を付されたメール送信文書を内容とするメール文章から編集記号に基づきメール文章を分割して第１記憶エリア１１に登録するステップと、メール本文及びメール送信文書の一方又はその組合せを表す送信文書種別を複数の宛先毎に設定し宛先毎の送信文書種別を第２記憶エリア１２に書込むステップと、宛先毎の送信文書種別に基づきメール本文及びメール送信文書の一方又はその組合せからなるメッセージを宛先毎に生成し宛先毎のメッセージを第３記憶エリア１３に書込むステップと、この宛先毎のメッセージを送信内容とするメールを各端末装置の宛先へ一斉送信するステップとを備える。【選択図】図１
2009230681.tif 000002
【特許請求の範囲】
【請求項１】
複数の記憶エリアを有する記憶部と、
メール本文と、文書領域を区切る編集記号を付されたメール送信文書とを内容とするメール文章を入力されて、この編集記号に基づいてこのメール文章を分割し、これらのメール本文及びメール送信文書を前記記憶部の第１記憶エリアに登録する分割登録部と、
これらのメール本文及びメール送信文書のうちのいずれか一つ又はその組合せを表す送信文書種別を複数の宛先毎に設定し、宛先毎の送信文書種別を前記記憶部の第２記憶エリアに書込む宛先管理部と、
この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込む編集処理部と、
この宛先毎のメッセージを送信内容とするメールをこれらの宛先へ一斉送信するメール送信部と、を備えたことを特徴とする通信端末装置。
【請求項２】
メールを送信する第１通信端末装置と、
それぞれネットワークを介してこの第１通信端末装置からのメールを受信する複数の第２通信端末装置とを備え、
前記第１通信端末装置は、
複数の記憶エリアを有する記憶部と、
メール本文と、文書領域を区切る編集記号を付されたメール送信文書とを内容とするメール文章を入力されて、この編集記号に基づいてこのメール文章を分割し、これらのメール本文及びメール送信文書を前記記憶部の第１記憶エリアに登録する分割登録部と、
これらのメール本文及びメール送信文書のうちのいずれか一つ又はその組合せを表す送信文書種別を前記複数の第２通信端末装置の宛先毎に設定し、宛先毎の送信文書種別を前記記憶部の第２記憶エリアに書込む宛先管理部と、
この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込む編集処理部と、
この宛先毎のメッセージを送信内容とするメールを各第２通信端末装置へ一斉送信するメール送信部と、を備えたことを特徴とする通信端末装置を含むメールシステム。
【請求項３】
前記第１通信端末装置は、
前記編集処理部が、前記複数の第２通信端末装置のうちの特定の第２通信端末装置へ宛てたメッセージの中に、この特定の第２通信端末装置宛の付加文書と、この付加文書の文書領域を区切る宛先付き編集記号とを挿入するように構成されて、
前記複数の第２通信端末装置は、
メッセージと、このメッセージ内の付加文書と、この付加文書の文書領域を区切る宛先付き編集記号とを含むメールを受信するメール受信部と、
このメールのメッセージ内に含まれる前記宛先付き編集記号に基づいてこのメッセージ内の付加文書が自端末装置宛の付加文書であるかどうかを判定し、この判定の結果が肯定的である場合、前記メールのメッセージ内の付加文書を表示装置に表示させる受信メール処理部と、を備えたことを特徴とする請求項２記載の通信端末装置を含むメールシステム。
【請求項４】
ネットワークを介して接続された複数の端末装置に対してメールを送信する通信端末装置におけるメール送信方法であって、
メール本文と、文書領域を区切る編集記号を付されたメール送信文書とを内容とするメール文章から、この編集記号に基づきこのメール文章を分割してこれらのメール本文及びメール送信文書を、複数の記憶エリアを有する記憶部の第１記憶エリアに登録するステップと、
これらのメール本文及びメール送信文書のうちのいずれか一つ又はその組合せを表す送信文書種別を前記複数の端末装置の宛先毎に設定し、宛先毎の送信文書種別を前記記憶部の第２記憶エリアに書込むステップと、
この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込むステップと、
この宛先毎のメッセージを送信内容とするメールを各端末装置へ一斉送信するステップと、を備えたことを特徴とする通信端末装置におけるメール送信方法。
【請求項５】
ネットワークを介して接続された複数の端末装置に対してメールを送信する通信端末装置のコンピュータに、
メール本文と、文書領域を区切る編集記号を付されたメール送信文書とを内容とするメール文章から、この編集記号に基づきこのメール文章を分割してこれらのメール本文及びメール送信文書を、複数の記憶エリアを有する記憶部の第１記憶エリアに登録するステップと、
これらのメール本文及びメール送信文書のうちのいずれか一つ又はその組合せを表す送信文書種別を前記複数の端末装置の宛先毎に設定し、宛先毎の送信文書種別を前記記憶部の第２記憶エリアに書込むステップと、
この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込むステップと、
この宛先毎のメッセージを送信内容とするメールを各端末装置へ一斉送信するステップと、
を実行させることを特徴とするコンピュータプログラム。
【発明の詳細な説明】
【技術分野】
【０００１】
本発明は、通信端末装置、通信端末装置を含むメールシステム、通信端末装置におけるメール送信方法及びコンピュータプログラムに関する。
【背景技術】
【０００２】
通信端末装置がメールを複数の宛先に対して一斉に送信する場合、これらのメールの文章は実質的に同じである。通信端末装置を用いて複数の宛先に対して異なる内容のメールを送信するためには、ユーザは宛先毎に文章を作成して個別にメールを送信する必要がある。
【０００３】
従来、複数の配信先のメンバーに送信する場合であっても、メッセージの一部を変更して送信することができる電子メールシステムが提案されている（特許文献１参照）。特許文献１に記載の電子メールシステム用のアプリケーションプログラムは、題名や本文のメッセージ情報の作成に際して、エディタがメッセージ中に差込フィールドのマークを入れてメッセージを作成する。エディタはウインドウ内にある差込フィールドを選択し、題名または本文入力欄の任意の場所に差込フィールドのマークを記入するようにしている。
【特許文献１】特開平１１−８８４２３号公報
【発明の開示】
【発明が解決しようとする課題】
【０００４】
しかしながら、上述した従来技術では、本文入力欄に付加されるメッセージは定型文、即ち予め作成された文書であり、定型のメッセージのみが送信されるものである。宛先の数が複数である場合、ユーザは数回に分けてメールを送信しなければならない。
【０００５】
そこで、本発明は、上記の課題に鑑み、通信端末装置が複数の宛先に対してメールを送信する場合、宛先毎に異なる内容のメールを一度に送信することが可能な通信端末装置、通信端末装置を含むメールシステム、通信端末装置におけるメール送信方法及びコンピュータプログラムを提供することを目的とする。
【課題を解決するための手段】
【０００６】
このような課題を解決するため、本発明の請求項１によれば、複数の記憶エリアを有する記憶部と、メール本文と、文書領域を区切る編集記号を付されたメール送信文書とを内容とするメール文章を入力されて、この編集記号に基づいてこのメール文章を分割し、これらのメール本文及びメール送信文書を前記記憶部の第１記憶エリアに登録する分割登録部と、これらのメール本文及びメール送信文書のうちのいずれか一つ又はその組合せを表す送信文書種別を複数の宛先毎に設定し、宛先毎の送信文書種別を前記記憶部の第２記憶エリアに書込む宛先管理部と、この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込む編集処理部と、この宛先毎のメッセージを送信内容とするメールをこれらの宛先へ一斉送信するメール送信部と、を備えたことを特徴とする通信端末装置が提供される。
【０００７】
また、本発明の請求項２によれば、メールを送信する第１通信端末装置と、それぞれネットワークを介してこの第１通信端末装置からのメールを受信する複数の第２通信端末装置とを備え、前記第１通信端末装置は、複数の記憶エリアを有する記憶部と、メール本文と、文書領域を区切る編集記号を付されたメール送信文書とを内容とするメール文章を入力されて、この編集記号に基づいてこのメール文章を分割し、これらのメール本文及びメール送信文書を前記記憶部の第１記憶エリアに登録する分割登録部と、これらのメール本文及びメール送信文書のうちのいずれか一つ又はその組合せを表す送信文書種別を前記複数の第２通信端末装置の宛先毎に設定し、宛先毎の送信文書種別を前記記憶部の第２記憶エリアに書込む宛先管理部と、この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込む編集処理部と、この宛先毎のメッセージを送信内容とするメールを各第２通信端末装置へ一斉送信するメール送信部と、を備えたことを特徴とする通信端末装置を含むメールシステムが提供される。
【０００８】
また、本発明の請求項４によれば、ネットワークを介して接続された複数の端末装置に対してメールを送信する通信端末装置におけるメール送信方法であって、メール本文と、文書領域を区切る編集記号を付されたメール送信文書とを内容とするメール文章から、この編集記号に基づきこのメール文章を分割してこれらのメール本文及びメール送信文書を、複数の記憶エリアを有する記憶部の第１記憶エリアに登録するステップと、これらのメール本文及びメール送信文書のうちのいずれか一つ又はその組合せを表す送信文書種別を前記複数の端末装置の宛先毎に設定し、宛先毎の送信文書種別を前記記憶部の第２記憶エリアに書込むステップと、この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込むステップと、この宛先毎のメッセージを送信内容とするメールを各端末装置へ一斉送信するステップと、を備えたことを特徴とする通信端末装置におけるメール送信方法が提供される。
【０００９】
また、本発明の請求項５によれば、ネットワークを介して接続された複数の端末装置に対してメールを送信する通信端末装置のコンピュータに、メール本文と、文書領域を区切る編集記号を付されたメール送信文書とを内容とするメール文章から、この編集記号に基づきこのメール文章を分割してこれらのメール本文及びメール送信文書を、複数の記憶エリアを有する記憶部の第１記憶エリアに登録するステップと、これらのメール本文及びメール送信文書のうちのいずれか一つ又はその組合せを表す送信文書種別を前記複数の端末装置の宛先毎に設定し、宛先毎の送信文書種別を前記記憶部の第２記憶エリアに書込むステップと、この宛先毎の送信文書種別に基づいて、前記第１記憶エリアに登録された前記メール本文及び前記メール送信文書のうちのいずれか一つ又はその組合せからなるメッセージを宛先毎に生成し、宛先毎のメッセージを前記記憶部の第３記憶エリアに書込むステップと、この宛先毎のメッセージを送信内容とするメールを各端末装置へ一斉送信するステップと、を実行させることを特徴とするコンピュータプログラムが提供される。
【発明の効果】
【００１０】
本発明によれば、メール本文とメール送信文書とのうちのいずれか一つ又はその組合せからなるメッセージを宛先毎に生成することができ、この宛先毎のメッセージを送信内容とするメールをこれらの宛先へ一斉送信することができるようになる。
【発明を実施するための最良の形態】
【００１１】
以下、本発明の実施の形態に係る通信端末装置、通信端末装置を含むメールシステム、通信端末装置におけるメール送信方法及びコンピュータプログラムについて、図１乃至図９を参照しながら説明する。尚、各図において同一箇所については同一の符号を付すとともに、重複した説明は省略する。
【００１２】
本発明の一実施形態に係る通信端末装置は、メール送受信用のソフトウェアであるメーラをインストールされた通信端末装置である。本発明の一実施形態に係る通信端末装置を含むメールシステムは、メールを送信する通信端末装置と、それぞれが通信回線及びメールサーバを介してこの送信側の通信端末装置からのメールを受信する複数の受信側の通信端末装置とを備えた電子メールシステムである。メールの送信側の通信端末装置と、これらのメールの受信側の複数の通信端末装置とにはいずれも本実施形態に係る通信端末装置が用いられている。本発明の一実施形態に係る通信端末装置におけるメール送信方法は、メーラが実行可能にされた通信端末装置におけるメールの送信方法である。
【００１３】
送信側の通信端末装置及び受信側の通信端末装置は、いずれも、文字や記号及び文字列や記号列を含む文書を作成する機能と、この文書にアドレスを付与してメール送信を行う機能と、メールの受信処理を行う機能と、受信メールの内容を表示装置に表示させる機能とを有する。
【００１４】
これらの通信端末装置は、携帯電話端末やＰＨＳ（Ｐｅｒｓｏｎａｌ  Ｈａｎｄｙｐｈｏｎｅ  Ｓｙｓｔｅｍ）端末、モバイルパソコンなどの移動端末、又は主として据置型の端末として使われるデスクトップパソコンである。各通信端末装置が移動端末である場合、これらの通信端末装置は、無線信号を受信及び復調し情報データを出力する受信手段と、メール送信される送信文書を変調し無線信号を送信する送信手段とを有する。各通信端末装置がデスクトップパソコンである場合、これらの通信端末装置は、ネットワークを介して受信したデータ信号を受信処理して情報データを出力する受信手段と、メール送信される送信文書を送信処理してネットワークへ送信する送信手段とを有する。
【００１５】
図１は本実施形態に係る通信端末装置の機能ブロック図である。通信端末装置１は、図示しない送信手段及び受信手段との間でデータを送受可能にされてこの通信端末装置１の各部を統括制御する主制御部２と、メールの読み書き処理を行うメール処理部３とを有する。主制御部２はＣＰＵ、ＲＯＭ、ＲＡＭからなり、通信端末装置１内で実行されるプログラムの全体を管理する処理を行う。メール処理部３はこのプログラム全体のうちのメール処理プログラムであり、このプログラムはＲＯＭあるいはハードディスク等の記憶媒体によって実現されている。
【００１６】
メール処理部３は、受信した情報データからメールデータを取り出す処理と、文字列及びこの文字列の間に挿入される記号列からなる１つの送信文書（メール文章）を読み込む処理と、複数の宛先についてそれぞれ、この送信文書の全文書領域のうちの記号列によって区切られた各文書領域の送信又は非送信を判別し、この判別結果に基づいて宛先毎に送信メッセージを編集し、この送信メッセージを内容とするメールを予めユーザが登録した全ての宛先に対して一斉に送信する処理とを行えるようにされている。
【００１７】
ユーザが通信端末装置１に対して送信文書を作成する際、ユーザは仮名、漢字、英数字などの文字列の間に、＝＝＝［１Ｓ］＝＝＝、＝＝＝［１Ｅ］＝＝＝などの記号列（以下、編集記号と呼ぶ。）を挿入するようにして入力を行う。メール処理部３は、送信文書を入力された後、宛先毎に異なるメッセージを作成する処理を行うようユーザから指令されると、編集記号によって区切られた文あるいは文章を取り出して登録するようにしている。
【００１８】
メール処理部３は、複数の送信相手に対して一斉にメールを送信する前に、この編集記号を解読することにより、送信文書の全文書領域を複数の文書領域に分割し、これらの文書領域内の文をＲＡＭ上に登録しておき、これらの分割しておいた文書領域内の各文を複数の宛先に応じて選択して送信内容の文書エリアを組み立てるといった編集処理を行うようにしている。メール処理部３は、この編集処理を行ったメッセージを複数の宛先に一度にメール送信することによって、複数の送信相手に対してメール内容を区別して送信するようにしている。
【００１９】
通信端末装置１は、表示装置４と、この表示装置４の表示処理の全体を管理する表示管理部５と、この表示管理部５に表示されるデータを記憶する表示メモリ６と、通話キー７及びテンキーその他のキー８からなりこれらのキーをユーザが操作して入力された文字や記号のデータを主制御部２へ送る操作部９とを有する。表示装置４は液晶ディスプレイ装置である。表示管理部５はデバイスドライバである。表示メモリ６には表示用ＲＡＭが用いられる。操作部９は各キーと、キー操作全体の管理を行うデバイスドライバとからなる。
【００２０】
この通信端末装置１では、表示装置４に表示される案内にしたがってユーザがテンキーその他のキー８などを用いて文字列や編集記号からなる送信文書を作成し、メール処理部３はこの送信文書及び編集記号を読み込む。
【００２１】
図２はユーザが作成する送信文書の一例を示す図であり、同図にはこの送信文書の文書領域の全領域が示されている。「２００７年２月２２日  ○○ホテル１０階  ○○の間で１０時までにお越し下さい。」はメール文章としての送信文書のメール本文である。＝＝＝［１Ｓ］＝＝＝は、全文書領域のうちの第１の文書領域の開始位置を示す編集記号である。「ご親族の方は９：４５までに＆＆の間にお越し下さい。」はこの第１の文書領域内に挿入される文（以下、メール送信文書０１と呼ぶ。）である。＝＝＝［１Ｅ］＝＝＝は第１の文書領域の終了位置を示す編集記号である。また、＝＝＝［２Ｓ］＝＝＝は、全文書領域のうちの第２の文書領域の開始位置を示す編集記号である。「２次会への参加をお願いします。１５時より％％屋にて会費￥３５００です。宜しくお願いします。」はこの第２の文書領域内に挿入される文（以下、メール送信文書０２と呼ぶ。）である。＝＝＝［２Ｅ］＝＝＝は、第２の文書領域の終了位置を示す編集記号である。
【００２２】
これらの文及び編集記号をユーザが入力し終えてキー操作を行うと、メール処理部３は、編集記号を解読して、同じ１つの送信文書から宛先毎にメッセージを作成あるいは編集を行うようにしている。
【００２３】
通信端末装置１は、入力された送信文書のデータから送信直前の送信形式データへ変換する処理を行うためのＲＡＭ１０を有する。メール処理部３は、このＲＡＭ１０の記憶エリアに、元の送信文書を複数の文に分割した後送信文書の本文を展開するための記憶エリアと、メール送信文書０１を展開するための記憶エリアと、メール送信文書０２を展開するための記憶エリアとを割り当てて、これらの本文、メール送信文書０１及び０２を、割り当てたＲＡＭ１０上の各記憶エリアに書込み登録するようにしている。
【００２４】
また、メール処理部３が表示管理部５へ指令を行うことにより、この表示管理部５が送信種別（送信文書種別）の入力をユーザに促す画面を表示装置４に表示するようにされている。送信種別とは例えば「１０」、「１１」、「１２」、「０１」又は「０２」といった２桁の数字で表されている。これらの数字の持つ意味は予めメール処理部３に記憶されている。
【００２５】
操作部９を介してユーザからメール処理部３に対して送信種別を指定することにより、メール処理部３は、メール送信される１つの送信文書の全文書領域のうち、本文だけ、本文及びメール送信文書０１、本文及びメール送信文書０２、メール送信文書０１だけ、又はメール送信文書０２だけといった所望の文を選択し、送信される文書エリアの組立てを行えるようにされている。
【００２６】
ＲＡＭ１０は、本文、メール送信文書０１及び０２を含む送信文書と、一斉送信される際の複数のメールの宛先と、これらの宛先に応じた編集処理により生成されて、本文、メール送信文書０１及び０２のうちのいずれか１種又は２種以上の文を含む宛先毎のメッセージと、これらの宛先毎のメッセージをメールの内容とし、件名などを付加された状態の送信形式の送信文書とを記憶する各記憶エリアを有する。具体的には、ＲＡＭ１０は以下に述べる４つの記憶用あるいは管理用のエリア１１〜１４を有する。
【００２７】
送信文書記憶エリア１１には、ユーザによって作成あるいは入力された送信文書が記憶される。この送信文書は、メール本文、メール送信文書０１及び０２の３つに分割されて、それぞれが送信文書記憶エリア１１に書込み登録されている。
【００２８】
メール宛先管理エリア１２には、一斉送信時の複数の宛先と、これらの宛先毎にユーザが区別して設定した送信種別との対応関係を表す情報が記憶されている。
【００２９】
図３はメール宛先管理エリア１２内に記憶される対応関係の一例を示す図である。複数の宛先アドレスと送信種別とが例えばテーブル１５によって対応付けられている。送信種別の１番目の桁はメール本文をメール送信するかどうかを表すための桁である。この第１の桁が０であることは本文をメール送信しないことを表し、この第１の桁が１であることはこの本文をメール送信することを表す。２番目の桁は、メール送信文書０１、０２をどこまでメール送信するかを表すための桁である。この第２の桁が０であることはメール送信文書０１、０２のいずれもメール送信しないことを表す。第２の桁が１であることはメール送信文書０１を送ることを表す。第２の桁が２であることはメール送信文書０１及びメール送信文書０２を送ることを表す。
【００３０】
このテーブル１５の情報は、メール処理部３が、分割しておいたメール本文、メール送信文書０１及び０２を複数の宛先に応じて選択して組立て処理を行う編集処理を行うときに、このメール処理部３によって読み出されるようにされている。このテーブル１５はメール処理部３によって作成される。テーブル１５は、ユーザが送信文書を入力し終えた後、画面案内にしたがってユーザが送信種別を入力した後に作成される。
【００３１】
図１のメール本文管理エリア１３は宛先毎にメッセージを記憶する。メール宛先管理エリア１２に記憶された複数の宛先と、これらの宛先毎の送信種別と、送信文書記憶エリア１１に分割登録された本文、メール送信文書０１及びメール送信文書０２とから、メール処理部３が宛先毎のメッセージを生成し、このメッセージをメール本文管理エリア１３に書込む。
【００３２】
メール宛先エリア毎修正送信文書記憶エリア１４には、宛先毎のメッセージから編集記号が取り除かれた状態の送信形式にされたメッセージが記憶される。
【００３３】
更に通信端末装置１は、図示しない受信手段からの受信メールを記憶する受信メール記憶部１６と、この受信メール記憶部１６に記憶された文書から、編集記号の内容によってこの文書を作成し直す処理を行う受信メール処理部１７とを備えている。この受信メール処理部１７の機能はメーラにより実現されている。
【００３４】
上述の構成の通信端末装置１が複数の宛先にメールを一斉送信する際のメール処理部３の処理の手順について説明する。
【００３５】
図４は複数アドレス宛にメールを一斉に送信する際のメール処理部３の処理の手順を説明するためのフローチャートである。ステップＳ１において、メール処理部３は、操作部９を介してユーザ入力された宛先アドレスを読み込む。この際、メール処理部３は送信相手先毎に送信種別を付加して、これらの宛先アドレス及び送信種別をＲＡＭ１０に書込む。
【００３６】
メール処理部３は送信種別を例えば次の（１）〜（５）に分けて管理している。
【００３７】
（１）送信種別「１０」では本文のみが送信されるものとする。ここで、デフォルトの送信種別の値は「１０」にされている。本文のみを送信する場合にはメール処理部３は送信種別の２桁目を設定する必要はない。
【００３８】
（２）送信種別「０１」とすることでメール送信文書０１のみを送信する。
【００３９】
（３）送信種別「１１」とすることで本文にメール送信文書０１を付加して送信する。
【００４０】
（４）送信種別「０２」とすることでメール送信文書０２のみを送信する。
【００４１】
（５）送信種別「１２」とすることで本文にメール送信文書０２を付加して送信する。
【００４２】
ユーザは通信端末装置１に複数のアドレスを登録する。アドレス登録の際にはユーザは送信種別情報も登録する。メール処理部３はアドレスが入力された後、表示処理部５に対して表示の指令を行う。表示処理部５は、例えば「送信種別を入力して下さい。」という画面を表示装置４に表示させる。ユーザはこの内容にしたがって送信種別を入力する。これにより、送信相手先毎に送信種別が付加される。ユーザは通信端末装置１に件名を登録する。
【００４３】
「送信種別を入力して下さい。」という画面に対して、ユーザが入力操作を行わずにリターンキー操作を行った場合、メール処理部３は、送信種別の登録処理を行わず、送信文書を作成する処理だけを行う。
【００４４】
次に、ステップＳ２において、ユーザはメール文書を作成する。この際、連絡する事項や人数などの必要に応じて１Ｓ、１Ｅや２Ｓ、２Ｅなど編集記号付きの文を入力する。メール処理部３はテキスト及びこのテキスト間に挿入された編集記号の全てを読み込む。
【００４５】
図５はメール内容が分割登録された状態のＲＡＭ１０の記憶エリアの一例を説明するための図である。尚、同図の記憶エリアの割当て位置は適宜変更されている。図５では送信種別「１２」の例が示されている。
【００４６】
メール処理部３は、送信先管理エリア（メール宛先管理エリア１２）に、送信先相手のアドレスと、アドレス毎の送信種別「０１」〜「ｘｘ」（ｘｘは２桁を表す。）とを登録する。
【００４７】
メール処理部３は、送信文書記憶エリア１１に、共通のメール本文の内容を書込む。メール本文を送信する場合、送信種別は１ｘ（ｘは０又は１を表す。）である。メール処理部３による本文の書込み処理は既存のメール方式による処理と同じである。
【００４８】
メール処理部３は、送信文書記憶エリア１１に、送信種別「０１」の相手用に、メール送信文書０１の内容を登録する。処理中の文がメール送信文書０１であるかどうかをメール処理部３が判断する方法としては、ユーザ操作によって画面切替えを行い、メール本文、メール送信文書０１、メール送信文書０２などと順番に登録しておく方法を用いることができる。
【００４９】
処理中の文がメール送信文書０１であるかどうかをメール処理部３が判断する別の方法としては、メール処理部３が文書内容を検索し、文書中に＝＝＝［１S]＝＝＝改行などが存在しているかどうかをチェックする方法が用いられる。文書内容の検索やチェックには例えばテキストサーチ手法が用いられる。メール処理部３が［１Ｓ］という記号を検出することによって、メール処理部３はこの文がメール送信文書０１の始まりであると判断する。文書中に、＝＝＝[１Ｅ]＝＝＝改行が存在していることをメール処理部３が検出した場合、メール処理部３は、メール送信文書０１の終了位置を検出する。
【００５０】
引き続き、メール処理部３は、送信文書記憶エリア１１に、送信種別「０２」の相手用に、メール送信文書０２の内容を登録する。処理中の文がメール送信文書０２であるかどうかを判断するために、メール処理部３は、ユーザによる画面切替えの操作の順番にしたがって登録する方法や、あるいは、文書中に、＝＝＝[２S]＝＝＝改行や、＝＝＝[２Ｅ]＝＝＝改行を検出する方法を用いる。
【００５１】
図４のステップＳ３において、ユーザはメールの送信操作を行う。ステップＳ４において、メール処理部３は、送信種別が「１０」であるかどうかを判定する。送信種別が「１０」であるとメール処理部３が判定した場合、ｙルートを通り、ステップＳ５において、メール処理部３は、「２００７年２月２２日…お越し下さい。」という本文を送信文書記憶エリア１１から取り出す。
【００５２】
ステップＳ６において、メール処理部３は、本文だけを内容とするメールを送信種別「１０」の相手アドレスへ送信するよう送信手段へ指令する。また、メール処理部３は、宛先毎に送信記録を作成する。
【００５３】
ステップＳ４において、メール処理部３は送信種別が「１０」ではないと判定した場合、Ｎｏルートを通り、ステップＳ７において、メール送信相手が送信種別「１１」であるかどうかを判別する。送信種別が「１１」であるとメール処理部３が判定した場合、ステップＳ７でｙルートを通り、ステップＳ８において、メール処理部３は、本文をメール本文管理エリア１３に書込み、「２００７年２月２２日…お越し下さい。」というメール送信文書０１をこの本文に追加してメール本文管理エリア１３に書込む。
【００５４】
ステップＳ９において、メール処理部３は、これらの本文及びメール送信文書０１を内容とするメールを、送信種別「１１」の相手アドレスへメールを送信するよう送信手段へ指令する。メール処理部３は、宛先毎に送信記録を作成する。
【００５５】
ステップＳ７において、メール処理部３は送信種別が「１１」ではないと判定した場合、Ｎｏルートを通り、ステップＳ１０において、メール処理部３は、メール送信相手が送信種別「０１」であるかどうかを判別する。送信種別が「０１」であるとメール処理部３が判定した場合、ｙルートを通り、ステップＳ１１において、メール処理部３は、メール送信文書０１を送信文書記憶エリア１１から取り出して、これをメール本文管理エリア１３へ書込む。
【００５６】
ステップＳ１２において、メール処理部３は、送信種別「０１」の相手アドレスへ、メール送信文書０１を内容とするメールを送信するよう送信手段へ指令を行う。メール処理部３は、宛先毎に送信記録を作成する。
【００５７】
ステップＳ１０においてメール送信相手が送信種別「０１」ではないとメール処理部３が判別した場合、Ｎｏルートを通り、ステップＳ１３の処理を行う。このステップＳ１３では、メール処理部３はステップＳ４からステップＳ１２までの処理を送信種別毎に繰返す処理を行う。送信種別毎に繰返される処理も、送信種別「１０」、「１１」、「０１」の処理と同様である。
【００５８】
実際に複数のメールをユーザが作成している際の具体例を図６に示す。宛先アドレスａａａ＠ｂｂ．ｃｃ、ｄｄｄ＠ｅｅ．ｆｆ、ｇｇｇ＠ｈｈ．ｉｉ、及びｊｊｊ＠ｋｋ．ｌｌ宛の文書例が同図には示されている。メール処理部３は、ユーザにより挿入された編集記号と、ユーザにより入力された宛先アドレスとを解読する。メール処理部３は、この宛先アドレスに対応する送信種別をメール宛先管理エリア１２のテーブル１５から読み出して、送信文書記憶エリア１１に分割登録されている本文、メール送信文書０１及びメール送信文書０２の３つの中から、本文、メール送信文書０１及び０２の３つとも取り出してこれらからメッセージを組み立てる。
【００５９】
メール処理部３は、入力された宛先アドレスがｄｄｄ＠ｅｅ．ｆｆであると判定すると、メール宛先管理エリア１２から、このｄｄｄ＠ｅｅ．ｆｆの送信種別が「１２」であることを読み込む。メール処理部３は、メール本文管理エリア１３に、本文「２００７年２月２２日  ○○ホテル１０階  ○○の間で１０時までにお越し下さい。」と、編集記号が付いたままのメール送信文書０１「ご親族の方は９：４５までに＆＆の間にお越し下さい。」と、編集記号が付いたままのメール送信文書０２「２次会への参加をお願いします。１５時より％％屋にて会費￥３５００です。宜しくお願いします。」とを書込む。これらの本文と、編集記号付きのメール送信文書０１及び０２とによって宛先アドレスｄｄｄ＠ｅｅ．ｆｆ用のメッセージが構成される。
【００６０】
宛先アドレスｇｇｇ＠ｅｅ．ｆｆ用のメッセージも宛先アドレスｄｄｄ＠ｅｅ．ｆｆ用のメッセージと同じである。宛先アドレスａａａ＠ｂｂ．ｃｃ用のメッセージは、本文及びメール送信文書０１からなる。宛先アドレスｊｊｊ＠ｋｋ．ｌｌ用のメッセージは、メール送信文書０２だけからなる。宛先アドレスｍｍｍ１＠ｎｎ．ｏｏ用のメッセージ及びｍｍｍ２＠ｎｎ．ｏｏ用のメッセージは本文だけからなる。宛先アドレスｐｐｐ＠ｑｑ．ｒｒ用のメッセージは、メール送信文書０１だけからなる。
【００６１】
メール処理部３は、宛先毎に生成したメッセージを、送信種別毎に振り分ける。これらの内容は、ａａａ＠ｂｂ．ｃｃ、ｄｄｄ＠ｅｅ．ｆｆ、ｇｇｇ＠ｈｈ．ｉｉ及びｊｊｊ＠ｋｋ．ｌｌを含む各アドレスに宛てて一斉に送信される。
【００６２】
図６の例からメール処理部３が送信種別「１２」の部分を解読し、送信種別「１２」用に作成したメッセージの例を図７に示す。図７は送信種別が「１２」である場合のアドレス及びメッセージエリアを示す図である。
【００６３】
この内容を含むメールを受信したアドレスｄｄｄ＠ｅｅ．ｆｆを持つ通信端末装置には、「２００７年２月２２日  ○○ホテル１０階  ○○の間で１０時までにお越し下さい。」、「ご親族の方は９：４５までに＆＆の間にお越し下さい。」、「２次会への参加をお願いします。１５時より％％屋にて会費￥３５００です。宜しくお願いします。」の３つの文が表示される。
【００６４】
一斉送信されたメールを受信したアドレスｇｇｇ＠ｅｅ．ｆｆを持つ通信端末装置には、「２００７年２月２２日  ○○ホテル１０階  ○○の間で１０時までにお越し下さい。」、「ご親族の方は９：４５までに＆＆の間にお越し下さい。」、「２次会への参加をお願いします。１５時より％％屋にて会費￥３５００です。」の３つの文が表示される。
【００６５】
一斉送信されたメールを受信したアドレスａａａ＠ｂｂ．ｃｃを持つ通信端末装置には、「２００７年２月２２日  ○○ホテル１０階  ○○の間で１０時までにお越し下さい。」、「ご親族の方は９：４５までに＆＆の間にお越し下さい。」の２つが表示される。一斉送信されたメールを受信したアドレスｊｊｊ＠ｋｋ．ｌｌを持つ通信端末装置には、「２次会への参加をお願いします。１５時より％％屋にて会費￥３５００です。」だけが表示される。
【００６６】
一斉送信されたメールを受信したアドレスｍｍｍ１＠ｎｎ．ｏｏ及びｍｍｍ２＠ｎｎ．ｏｏの各通信端末装置には、「２００７年２月２２日  ○○ホテル１０階  ○○の間で１０時までにお越し下さい。」だけが表示される。一斉送信されたメールを受信したアドレスｐｐｐ＠ｑｑ．ｒｒの通信端末装置には、「ご親族の方は９：４５までに＆＆の間にお越し下さい。」だけが表示される。
【００６７】
このように、本実施形態に係る通信端末装置１では、送り先毎に付加された送信種別を用いることによって、ユーザの１回のメール送信操作で、複数の宛先に対してそれぞれ違った文章を送ることができるようになる。
【００６８】
メールの一斉送信を行った者は、メールを一度に送信するだけで、送信相手別に異なる事項をこれらの複数の送信相手に対して送ることができるようになる。送信相手別にメール文章を作成してからメールを送信するといった手間を省くことができる。
【００６９】
複数の送信相手毎に送信すべき文章を、複数の文章のセットによって組み立てられるようにしておき、送信時に、メール処理部３が、これらの文章のうち、必要な事項を伝えるために必要な文だけを取り出して、この取り出した文だけを、作業エリアに書込むため、通信端末装置１では、ユーザは複数の宛先に応じてメールを１つずつ作成する労力が不要となる。
【００７０】
また、メール処理部３は、編集記号を解読することによって、送信文書の全文書領域のうちのどこからどこまでの内容を送るかを制御することができるようになる。
【００７１】
また、ユーザがメールを入力する際に、通信端末装置１が「送信種別を入力して下さい」という内容を画面に表示し、送信種別を登録して宛先毎に特化させた内容をメール送信する機能を使うかどうかをユーザに選択させている。ユーザがこの機能を使わないと判断してリターンキーを押下することにより、この通信端末装置１は通常のメール送信も行える。従って、ユーザは、宛先毎に特化した内容を送る機能を、通常のメーラの持つ機能に付加的に加えられた機能として利用することができるようになる。
【００７２】
また、ＲＡＭ１０上に送信文書を分割登録し、宛先毎のメッセージを作成する各処理のステップをコンピュータに実行させるコンピュータプログラムを、移動型通信端末装置あるいは固定型通信端末装置を構成するハードウェア装置にインストールすることによって、上述した効果と同じ効果を得ることができるようになる。
【００７３】
また、このコンピュータプログラムを、記録媒体に書込むことによって、この記録媒体の持ち運びや頒布が可能になり、このコンピュータプログラムを端末にインストールすることによって、通信端末装置１によって得られた効果と同じ効果をこのインストールされた端末を用いて得ることができるようになる。
【００７４】
このようにして、通信端末装置１、通信端末装置１を含むメールシステム、メール送信方法及びコンピュータプログラムによれば、送信側が伝える内容のうち必要な内容あるいは項目を、異なる複数の送信相手に対して、カスタマイズして送信することができ、かつ各送信相手への送信を一回の送信操作によって行うことができるようになる。
【００７５】
これらの通信端末装置１、メールシステム、方法及びプログラムによれば、これまで数回に分けて送信しなければいけなかったメールを同時に複数相手に送信することが可能となる。また、複数相手に送るメールの操作手順も簡単にすばやく送れるようになる。
【００７６】
従来、複数の相手に対してそれぞれ異なる内容のメールを送るためには、送信者は、１つずつメールを作成しなければならなかった。本実施形態に係る通信端末装置１では、通信端末装置１が同じ文章を作っておき、種々の編集記号を作ることによって、別の内容を一度に送ることができるようになる。複数回かかっていた作業を１回で済ませることができるようになる。複数各個人宛に違うメッセージを送ることは時間をかければできることであるが、この通信端末装置１によれば、異なるメッセージを一度に送ることができるようになる。
【００７７】
（変形例）
本発明の実施の形態に係る通信端末装置は、複数の送信相手に対し送信内容をカスタマイズして送る機能に加えて、これらの送信相手のうちの特定の相手に対してのみ情報を付加して送るようにもできる。本実施形態の変形例に係る通信端末装置１Ａは特定の相手に対してのみ情報を付加して送る機能を有する。通信端末装置１Ａの構成は上記実施形態に係る通信端末装置１の構成と同じである。この変形例に係るメールシステムは、特定相手に対してのみ情報を付加して送る機能を有する送信側の通信端末装置と、この情報を解読する機能を有する複数の受信側の通信端末装置とを備えて構成されている。
【００７８】
メール処理部３が付加的な情報をメッセージ中に挿入した例を図８に示す。図８はメール本文管理エリア１３に記憶されるメッセージの一例を示す図である。通信端末装置１Ａでは、操作者が、例えば宛先アドレスｄｄｄ＠ｅｅ．ｆｆに対して「３次会へも参加ください。１７時より＆＆屋です。」という内容を連絡する場合、この操作者の操作指令によって、メール処理部３が、メール送信文書０２の文書領域中に、＝＝＝［１Ｓ］＝＝＝などの編集記号とは別の編集記号＋＋＋［ddd@ee.ff  Ｓ］＋＋＋と、＋＋＋［ddd@ee.ff  Ｅ］＋＋＋とを挿入するようにしている。
【００７９】
＋＋＋［ddd@ee.ff  Ｓ］＋＋＋は、宛先ｄｄｄ＠ｅｅ．ｆｆを持つ通信端末装置の表示装置４にだけ表示させる文の開始位置を示す編集記号（以下、この編集記号を宛先付き編集記号と呼ぶ。）である。＋＋＋［ddd@ee.ff  Ｅ］＋＋＋は、宛先ｄｄｄ＠ｅｅ．ｆｆを持つ通信端末装置の表示装置４にだけ表示させる文の終了位置を示す宛先付き編集記号である。これらの宛先付き編集記号を構成する＋＋＋［Ｓ］＋＋＋や＋＋＋［Ｅ］＋＋＋といった記号列は、予め通信端末装置１ＡのＲＯＭに記録されている。
【００８０】
メール処理部３は、これらの宛先付き編集記号をＲＯＭから読み出して、＋＋＋［Ｓ］＋＋＋の“［”と“Ｓ”との間に特定相手の宛先アドレスを挿入し、＋＋＋［ddd@ee.ff  Ｓ］＋＋＋を、作業エリアであるメール本文管理エリア１３のメッセージに挿入するようにしている。同様に、メール処理部３は＋＋＋［Ｅ］＋＋＋をＲＯＭから読み出して、“［”と“Ｅ”との間に特定相手の宛先アドレスを挿入し、＋＋＋［ddd@ee.ff  Ｅ］＋＋＋を、メール本文管理エリア１３のメッセージに挿入する。
【００８１】
これらの宛先付き編集記号をメール処理部３がメッセージ中に挿入するタイミングは、メール処理部３がＲＡＭ１０にメール送信される送信文書を分割して登録した後である。
【００８２】
一例として、この送信文書の分割登録処理をメール処理部３が完了すると、メール処理部３は表示処理部５に対して表示の指令を行う。表示処理部５は表示装置４に、「特定の相手に対してのみ表示させる文を入力しますか？」という内容を表示する。この表示内容に対して、ユーザが特定の相手に対してのみ送りたい文を発案した場合、ユーザはキー操作を行う。これによって、メール処理部３はこの特定の相手に対する文の入力画面を表示装置４に表示させるよう表示処理部５に指令する。
【００８３】
このような構成のこの変形例に係る通信端末装置１Ａに対してユーザが送信文書を作成入力する。メール処理部３は宛先アドレスを入力された後、表示処理部５に対して表示指令を行い、表示処理部５は、「送信種別を入力して下さい。」という画面を表示装置４に表示させる。この画面に対して、ユーザが入力操作を行わずにリターンキーを押下した場合、メール処理部３は、送信種別の登録処理を行わず、送信文書を作成するだけの処理を行う。
【００８４】
また、「送信種別を入力して下さい。」という画面に対して、ユーザが送信種別を入力した場合、メール処理部３は送信文書を分割登録する処理を行う。この処理によって、メール本文管理エリア１３に宛先毎のメッセージが生成される。
【００８５】
また、メール処理部３は、メール内容を分割登録する処理を終えると、画面上に、特定の相手に対してのみ表示させる文を入力するかどうかを尋ねる内容を表示させる。特定の相手に対して通知する内容がない場合、ユーザはリターンキーを押下する。この場合、メール処理部３は、先に入力した送信種別に従って宛先毎に特化した内容のメッセージをメール送信する。
【００８６】
また、メール処理部３は、特定の相手に対してのみ表示させる文を入力するかどうかを尋ねる内容を画面表示させたときに、ユーザから、特定の相手に対して通知する内容を、操作キーによって入力された場合、メール処理部３は、メール本文管理エリア１３に記憶された複数の宛先毎のメッセージのうちの特定の送信相手用のメッセージの中に情報を付加的に書込む。
【００８７】
図９は追加情報を埋め込まれた状態の送信形式に変換されたメール送信文書の一例を示す図である。各宛先へのメッセージから編集記号を取り除く修正処理が行われた後の宛先アドレスｄｄｄ＠ｅｅ．ｆｆ及びｇｇｇ＠ｅｅ．ｆｆ宛の送信内容が示されている。同図には宛先の送信種別が「１２」である場合の例が示されている。宛先アドレスｄｄｄ＠ｅｅ．ｆｆの送信種別と、宛先アドレスｇｇｇ＠ｅｅ．ｆｆの送信種別とは同じであるが、メール処理部３は、宛先アドレスｄｄｄ＠ｅｅ．ｆｆに対してのみ、「３次会へも参加ください。１７時より＆＆屋です。」という付加情報を挿入する。メール処理部３はこれに件名などを書込む処理を行ってから、同図のメール送信文書をＲＡＭ１０内の送信バッファに書込む。この後、一斉にメール送信が行われる。
【００８８】
この内容を含むメールを受信したアドレスｄｄｄ＠ｅｅ．ｆｆを持つ受信側通信端末装置には、「２００７年２月２２日  ○○ホテル１０階  ○○の間で１０時までにお越し下さい。」、「ご親族の方は９：４５までに＆＆の間にお越し下さい。」、「２次会への参加をお願いします。１５時より％％屋にて会費￥３５００です。宜しくお願いします。」、及び「３次会へも参加ください。」の４つの文が表示される。
【００８９】
この内容を含むメールを受信したアドレスｇｇｇ＠ｅｅ．ｆｆを持つ受信側通信端末装置には、「２００７年２月２２日  ○○ホテル１０階  ○○の間で１０時までにお越し下さい。」、「ご親族の方は９：４５までに＆＆の間にお越し下さい。」、及び「２次会への参加をお願いします。１５時より％％屋にて会費￥３５００です。宜しくお願いします。」の３つの文が表示される。
【００９０】
このように、通信端末装置１Ａが＋＋＋［ddd@ee.ff  Ｓ］＋＋＋及び＋＋＋［ddd@ee.ff  Ｅ］＋＋＋を送信メッセージ中に挿入することによって、これらの宛先付き編集記号の間の領域にある文を付加的な情報として、複数の他の通信端末装置に対して送信することができる。通信端末装置１Ａが、受信側の通信端末装置に対し、付加情報を表示する、又はこの情報を表示しないに関する設定を行えるようになる。
【００９１】
また、この変形例に係るメールシステムでは、受信側の通信端末装置が、宛先付き編集記号で区切られた文書領域の文の表示又は非表示を切替え設定可能にしておくこともできる。受信側の通信端末装置が付加情報を表示するという設定を行うことによって、受信側の通信端末装置のメール処理部３は、受信メールの中に、宛先付き編集記号の有無を検索する。
【００９２】
例えばアドレスｄｄｄ＠ｅｅ．ｆｆを有する通信端末装置のメール処理部３は、受信メールの文書中に＋＋＋［ddd@ee.ff  Ｓ］＋＋＋及び＋＋＋［ddd@ee.ff  Ｅ］＋＋＋の記号が含まれているかどうかをチェックする。これらの記号が含まれていることをメール処理部３が検出することにより、アドレスｄｄｄ＠ｅｅ．ｆｆを有する通信端末装置は、付加情報を取り出すことができるようになる。一方、上記に当てはまらない場合は受信側で表示をOFFする機能を持たせることができる。
【００９３】
このようにして、本変形例に係るメールシステムによれば、送信側の通信端末装置１Ａは、複数の送信相手に対して異なる内容のメールを一斉に送信することができるとともに、これらの送信相手のうちの特定の送信相手に対しては更に付加情報をメールに付加することができるようになる。受信側の複数の通信端末装置には実際に受けた内容から必要な内容だけを抜粋する機能が与えられる。
【００９４】
受信側の複数の通信端末装置は、一斉送信されたメールを受信することができるとともに、自分宛に付加情報がこのメールに含まれている場合、この付加情報を表示することができるようになる。この付加情報を受信側の各通信端末装置における表示のオン又はオフは、送信側の通信端末装置１Ａ及び受信側の通信端末装置の双方が設定することができる。
【００９５】
尚、本発明は上記実施形態そのままに限定されるものではなく、実施段階ではその要旨を逸脱しない範囲で構成要素を変形して具体化できる。上記の実施形態では、送信種別の桁数や各桁が表す内容などは種々変更可能である。編集記号の記号列の表し方も種々変更可能である。文書領域の数も３領域以上に区切ることができる。この場合、ユーザは＝＝＝［３Ｓ］＝＝＝改行、＝＝＝［３Ｅ］＝＝＝改行、＝＝＝［４Ｓ］＝＝＝改行、＝＝＝［４Ｅ］＝＝＝改行などの記号列を繰返して記述する。
【００９６】
また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９７】
【図１】本発明の実施の形態に係る通信端末装置の機能ブロック図である。
【図２】ユーザが作成する送信文書の一例を示す図である。
【図３】メール宛先管理エリア内に記憶される対応関係の一例を示す図である。
【図４】複数アドレス宛にメールを一斉に送信する際のメール処理部の処理の手順を説明するためのフローチャートである。
【図５】メール内容が分割登録された状態の記憶部の記憶エリアの一例を説明するための図である。
【図６】作成中の送信文書のデータイメージの一例を示す図である。
【図７】送信種別が「１２」である場合のアドレス及びメッセージエリアを示す図である。
【図８】本発明の一実施形態の変形例に係る通信端末装置のメール本文管理エリアに記憶されるメッセージの一例を示す図である。
【図９】追加情報を埋め込まれた状態の送信形式に変換されたメール送信文書の一例を示す図である。
【符号の説明】
【００９８】
１,１Ａ…通信端末装置、２…主制御部、３…メール処理部、４…表示装置、５…表示処理部、６…表示メモリ、７…通話キー、８…テンキーその他のキー、９…操作部、１０…ＲＡＭ（記憶部）、１１…送信文書記憶エリア（第１記憶エリア）、１２…メール宛先管理エリア（第２記憶エリア）、１３…メール本文管理エリア（第３記憶エリア）、１４…メール宛先エリア毎修正送信文書記憶エリア、１５…テーブル、１６…受信メール記憶部、１７…受信メール処理部。
【図１】
2009230681.tif 000003
【図２】
2009230681.tif 000004
【図３】
2009230681.tif 000005
【図４】
2009230681.tif 000006
【図５】
2009230681.tif 000007
【図６】
2009230681.tif 000008
【図７】
2009230681.tif 000009
【図８】
2009230681.tif 000010
【図９】
2009230681.tif 000011